(57)【要約】【課題】温まり難い末梢部位、並びに、皮下脂肪および筋肉が相対的に少ない箇所を温めることで冷えを解消するとともに、爪先部を開放し、熱を放出することができる衣類を提供する。【解決手段】衣類は、下肢および上肢の少なくとも一方の少なくとも一部を覆うとともに、他の部分よりも保温性が高い複数の保温部を有し、上記複数の保温部は、膝部（２）および踵部（４）並びに下肢の爪先部（６）と、手首部および肘部並びに上肢の爪先部と、のうち少なくとも一方を含み、上記複数の保温部のうち爪先部（６）または爪先部（６）に隣接する部分に、他の部分よりも通気性が高い放熱部（５１）が設けられている。【選択図】図１
2020133093.tif 000002
【特許請求の範囲】
【請求項１】
下肢および上肢の少なくとも一方の少なくとも一部を覆う衣類であって、
他の部分よりも保温性が高い複数の保温部を有し、
上記複数の保温部は、膝部および踵部並びに下肢の爪先部と、手首部および肘部並びに上肢の爪先部と、のうち少なくとも一方を含み、
上記複数の保温部のうち上記爪先部または該爪先部に隣接する部分に、他の部分よりも通気性が高い放熱部が設けられていることを特徴とする衣類。
【請求項２】
上記放熱部が、メッシュ状に形成されたメッシュ部であることを特徴とする請求項１に記載の衣類。
【請求項３】
当該衣類全体が伸縮性を有するとともに、上記放熱部は、上記爪先部に隣接して周状に設けられていることを特徴とする請求項１または２に記載の衣類。
【請求項４】
上記放熱部が、上記爪先部に設けられているとともに、上記爪先部が覆う爪先の少なくとも一部を露出可能な開口部であることを特徴とする請求項１に記載の衣類。
【請求項５】
上記複数の保温部のうち、上記爪先部は、上記爪先部以外の保温部よりも生地が厚く、かつ、伸縮性が低く、
上記爪先部における上記開口部は、甲側が開口していることを特徴とする請求項４に記載の衣類。
【請求項６】
編成糸に含まれる素材の公定水分率と、上記編成糸に含まれる上記素材の含有率が１００％である場合の上記素材の含有割合を１．０としたときの、上記編成糸に含まれている素材の含有割合と、を乗じて求められる数値を、上記素材の保温値Ｗとしたときに、
上記複数の保温部は、それぞれ、少なくとも一種の素材を含む編成糸で編成されており、
上記複数の保温部のそれぞれでは、それぞれの保温部を編成する編成糸に含まれる上記少なくとも一種の素材の保温値Ｗの合計値が、それぞれ１２．５〜５０．０の範囲内であることを特徴とする請求項１〜５の何れか１項に記載の衣類。
【請求項７】
上記複数の保温部のそれぞれでは、それぞれの保温部を編成する編成糸に含まれる上記少なくとも一種の素材の保温値Ｗの合計値が、それぞれ２５．０〜５０．０の範囲内であることを特徴とする請求項６に記載の衣類。
【請求項８】
上記複数の保温部以外の上記他の部分が、少なくとも一種の素材を含む編成糸で編成されており、
上記他の部分を編成する編成糸に含まれる上記少なくとも一種の素材の保温値Ｗの合計値が、１２．５未満であることを特徴とする請求項６または７に記載の衣類。
【請求項９】
当該衣類が、上記下肢における少なくとも膝、踵、および爪先を覆うレッグウェア、または、上記上肢における少なくとも肘および爪先を覆うアームウェアであり、
上記下肢または上記上肢を当該衣類に挿入するための開口部から上記爪先部に至るまで丸編機で連続的に編成されており、
上記複数の保温部は、それぞれ、吸湿発熱性を有する繊維を含む編成糸で編成されていることを特徴とする請求項１〜８の何れか１項に記載の衣類。
【請求項１０】
上記吸湿発熱性を有する繊維がアクリレート系繊維であり、
上記編成糸における上記アクリレート系繊維の含有率が２５％以上であり、
上記複数の保温部は、何れも同じ編成糸で編成されていることを特徴とする請求項９に記載の衣類。
【請求項１１】
上記複数の保温部が、それぞれ、公定水分率が３５％以上のアクリレート系繊維を含む編成糸で編成されていることを特徴とする請求項１〜１０の何れか１項に記載の衣類。
【請求項１２】
上記複数の保温部が、それぞれ、公定水分率が５０％以上のアクリレート系繊維を含む編成糸で編成されていることを特徴とする請求項１〜１０の何れか１項に記載の衣類。
【請求項１３】
当該衣類は編物衣類であり、
上記複数の保温部は、曲面を包み込むように往復回転で編成した編み増し領域を有することを特徴とする請求項１〜１２の何れか１項に記載の衣類。
【請求項１４】
上記編み増し領域は、Ｖ字型のゴアラインを形成することにより設けられていることを特徴とする請求項１３に記載の衣類。
【請求項１５】
当該衣類は、上記下肢における爪先から太腿の一部に至る丈を有するレッグウェアであり、脛部を備えるとともに、
上記複数の保温部は、上記膝部、上記踵部、および上記下肢の爪先部を含み、
上記膝部の上端よりも上の部分が、上記脛部よりも締め付け力が弱いことを特徴とする請求項１〜１４の何れか１項に記載の衣類。
【請求項１６】
当該衣類は、上記上肢における爪先から上腕部の一部に至る丈を有するアームウェアであり、
上記複数の保温部は、上記肘部、上記手首部、および上記上肢の爪先部を含むことを特徴とする請求項１〜１４の何れか１項に記載の衣類。
【請求項１７】
上記爪先部に、親指を入れる指袋部が設けられていることを特徴とする請求項１６に記載の衣類。
【請求項１８】
釜径５．０インチの丸編機を用いて編成されていることを特徴とする請求項１〜１７の何れか１項に記載の衣類。
【発明の詳細な説明】
【技術分野】
【０００１】
本開示は、上肢または下肢の少なくとも一部を覆う衣類に関し、特に、就寝時に着用される、快眠を促すための衣類に関する。
【背景技術】
【０００２】
昨今、健康志向が深まるなか、睡眠の重要性が高まっている。睡眠は、心身の疲労回復をもたらすとともに、免疫機能を強化すると言われており、健康を維持するために重要な役割を果たす。そこで、快眠を促すための衣料が求められている。
【０００３】
いわゆる熟睡に至るためには、まず早期に眠りにつくことが重要である。早期に眠りにつくためには、冷え等の阻害要因をいち早く解消し、自律神経を交感神経から副交感神経に切り替え、早期に身体をリラックス状態にする必要がある。
【０００４】
睡眠状態に近づくと、人体は、深部体温を下げるために、ＡＶＡ（動静脈吻合：Arteriovenous Anastomoses）血管が拡張し、血流が促進される仕組みになっている。ＡＶＡ血管は、動脈と静脈とを繋ぐ血管であり、手、足、顔にのみ局在している。ＡＶＡ血管が拡張すると、動脈血が一気に流れて皮膚温が上昇し、末梢部位からの熱放散量が急激に増加することで、深部体温が急激に低下する。この結果、睡眠がはじまる。
【先行技術文献】
【特許文献】
【０００５】
【特許文献１】特許第５５２４５８７号公報
【特許文献２】特開２００５−６８５８８号公報
【発明の概要】
【発明が解決しようとする課題】
【０００６】
このように、ＡＶＡ血管が拡張すると、ＡＶＡ血管の収縮時には血流が滞り易かった手足の指先が温められ、熱放出が始まる。しかしながら、手足の爪先等から熱が放出され難いと、深部体温が下がらず、やがて過剰な温かさで逆に寝苦しさを感じるようになる。よって、爪先部またはその近傍から過剰な熱を放出しなければ、寝苦しさで睡眠から覚めることになる。なお、本開示では、手または足の先端部の指がある部分を、爪先と称し、衣類における、「手または足の先端部の指がある部分に対応する部分」を「爪先部」と称する。
【０００７】
このため、快眠を促すためには、皮下脂肪および筋肉が相対的に少なく冷え易い部位を温めることで冷えを解消し、早期の睡眠導入を促すと同時に、爪先部またはその近傍から熱を放出することを促進することが重要となる。
【０００８】
特許文献１には、就寝時に着用する衣類として、静脈環流を促進して脚のむくみの除去あるいは低減を行うとともに爪先部の蒸れを生じさせないように、爪先部が無く、踵から膝上方位置までのレッグ部からなるレッグウェアが開示されている。
【０００９】
また、特許文献２には、就寝時に着用する衣類として、複数枚の布地を、足部の立体形状に合わせて裁断、縫合するとともに、足先に開口部を設けることで、踵のホールド性が高く、足部の保温性が良好で、かつ、通気性を改善した靴下が開示されている。
【００１０】
しかしながら、特許文献１に記載のレッグウェアは、脚のむくみの除去を目的としたものであり、爪先部が開放されていることから、爪先部を温めることができず、冷えの早期解消による早期の睡眠導入を促すことはできない。
【００１１】
また、特許文献２に記載の靴下は、脹ら脛と足首との間に靴下の上端が位置するクルー丈を有している。しかしながら、足先が冷えている場合、足先だけを温めても、冷たい血液が循環してくることから、冷えの早期解消には、不十分である。
【００１２】
また、特許文献２には、足部の保温性を高めるために、上記布地に、発熱性を有する繊維を用いて製造された布地を用いることが開示されている。
【００１３】
しかしながら、靴下全体に、発熱性の高さを考慮しないまま発熱性を有する繊維を用いると、却って保温が過剰となるおそれが生じる。このため、快適な睡眠を得ることができなくなるおそれがある。
【００１４】
本開示の一態様は、上記問題点に鑑みなされたものであり、温まり難い末梢部位、並びに、皮下脂肪および筋肉が相対的に少ない箇所を温めることで冷えを解消するとともに、爪先部を開放し、熱を放出することができる衣類を提供することを目的とする。
【課題を解決するための手段】
【００１５】
上記の課題を解決するために、本開示の一態様に係る衣類は、下肢および上肢の少なくとも一方の少なくとも一部を覆う衣類であって、他の部分よりも保温性が高い複数の保温部を有し、上記複数の保温部は、膝部および踵部並びに下肢の爪先部と、手首部および肘部並びに上肢の爪先部と、のうち少なくとも一方を含み、上記複数の保温部のうち上記爪先部または該爪先部に隣接する部分に、他の部分よりも通気性が高い放熱部が設けられている。
【発明の効果】
【００１６】
本開示の一態様によれば、温まり難い末梢部位、並びに、皮下脂肪および筋肉が相対的に少ない箇所を温めることで冷えを解消するとともに、爪先部またはその近傍から熱を放出することができる衣類を提供することができる。
【図面の簡単な説明】
【００１７】
【図１】実施形態１に係る靴下の外観を示す図である。
【図２】図１に示す靴下の編地の展開図である。
【図３】実施形態２に係る靴下の外観を示す図である。
【図４】図３に示す靴下の要部の斜視図である。
【図５】図３および図４に示す靴下の編地の展開図である。
【図６】実施形態２の変形例に係る靴下の外観を示す図である。
【図７】実施形態３に係るアームカバーの外観を示す図である。
【図８】図７に示すアームカバーの編地の展開図である。
【図９】実施形態４に係るアームカバーの要部の外観を示す図である。
【図１０】図９に示すアームカバーの編地の展開図である。
【図１１】実施形態４の変形例１に係るアームカバーの要部の外観を示す図である。
【図１２】図１１に示すアームカバーの編地の展開図である。
【発明を実施するための形態】
【００１８】
〔実施形態１〕
本開示の一実施形態について、図１〜図６を参照して以下に説明する。なお、以下では、本実施形態に係る衣類が靴下（レッグウェア）である場合を例に挙げて説明する。
【００１９】
図１は、本実施形態に係る靴下１０の外観を示す図である。
【００２０】
図１に示す靴下１０は、下肢における爪先から太腿の一部に至るサイハイ丈を有する靴下である。なお、太腿の一部とは、具体的には、太腿上半（つまり、骨盤と膝との間の部分の上半分の部分）を示す。靴下１０は、膝上部１、膝部２、脛部３、踵部４、フート部５、爪先部６を有している。また、フート部５の一部には、他の部分よりも通気性が高い放熱部５１が設けられている。
【００２１】
膝上部１には、下肢を靴下１０に挿入するための開口部である履口１２が設けられた履口部１１が設けられている。履口１２は、靴下１０の上端に設けられている。
【００２２】
一方、爪先部６は、靴下１０の下端に設けられている。爪先部６は、足の爪先全体を包み込むように袋状に形成されている。放熱部５１は、フート部５のうち爪先部６に隣接する部分に設けられている。放熱部５１は、例えば、メッシュ状に形成されたメッシュ部であることが望ましく、放熱部５１が編物である場合、例えば鹿の子編（メッシュ編）で編成されていることが望ましい。放熱部５１が例えばメッシュ状となるように該放熱部５１を鹿の子編で編成することで、通気性を高めることができ、爪先部６およびその近傍の熱を、放熱部５１から効果的に外部へ放熱することができる。但し、放熱部５１は、他の部分よりも通気性を向上させることができれば、どのような構造であってもよい。本実施形態においては放熱部５１に鹿の子編を用いたが、例えば編目の大きさを大きくしたり、編成糸の太さを細くしたりすることで放熱部５１の通気性を高めることができる。また、フート部５における、爪先部６に隣接する部分に、メッシュ状の素材を縫い合わせてもよい。また、放熱部５１は、足甲部および足底部を含み、周状（リング状）に設置することが望ましい。図１に示す例では、放熱部５１が、フート部５を爪先部６に沿って一周するように、周状に設けられている場合を例に挙げて図示している。放熱部５１をこのように構成することで効果的に放熱することができる。放熱部５１の面積はフート部５の領域内であれば特に限定されるものではない。しかしながら、放熱部５１の面積が広いほど放熱効果は高まる一方、冷えが生じやすい。このため、放熱部５１は、フート部５のうち、爪先部６側の１／３〜１／２を占める領域に設けることが望ましい。
【００２３】
また、フート部５および爪先部６は、靴下１０を着用して踵部４を踵に合わせたときに爪先部６が爪先を覆う長さに設定されている。したがって、爪先部６は、足の第３関節（つまり、爪先の第３関節）の上面および下面を被覆している。
【００２４】
なお、本開示で言う足（爪先）の第３関節とは、中足趾関節もしくはＭＰ関節と呼ばれ、中足骨の爪先側の端と趾骨の踵側の端とを繋ぐように形成する関節を指す。また、第３関節の上面とは第３関節の甲側に対応する皮膚面を指し、第３関節の下面とは第３関節の足底側に対応する皮膚面を指す。
【００２５】
膝部２、踵部４、爪先部６は、他の部分よりも保温性が高い保温部である。このように、靴下１０は、他の部分よりも保温性が高い複数の保温部を有している。
【００２６】
早期に眠りにつくためには、冷え等の阻害要因をいち早く解消する必要がある。このとき、一番冷えを感じるのは爪先であり、爪先をなるべく速く温めることが重要である。
【００２７】
しかしながら、このように例えば足の末端が冷えている場合、爪先部６のように足先だけを温めても、冷たい血液が循環してくることから、冷えの早期解消には、不十分である。冷えの早期解消には、足先だけでなく、体の中心から足先に至るまでの部分で、特に冷え易いとされる皮下脂肪および筋肉が相対的に少ない部分（具体的には、膝、踵）を温めることが有効である。これにより、体の中心から来る血液を温かいまま足先まで運ぶことができる。また、脚を覆う面積が大きいほど温かさを感じる。しかしながら、その一方で、膝、踵、爪先以外の脚の部分は、膝、踵、爪先よりも皮下脂肪や筋肉で覆われており、冷え難い。
【００２８】
このため、膝、踵、爪先以外の部分は、膝、踵、爪先ほどの保温性は必要ではない。また、靴下１０における下肢との接触部分全体を、高い発熱性を有する繊維を高い含有率で使用する等して、下肢全体を温めると、却って保温が過剰となる。このため、快適な睡眠のためには、下肢を部分的に温めることで、過剰に保温しないことが重要である。なお、下肢を部分的に温めるとは、具体的には、温まり難い末梢部位、並びに、皮下脂肪および筋肉が相対的に少ない箇所のみを温めることを示す。言い換えれば、快適な睡眠のためには、膝、踵、爪先を含む部分を、適所適温に温めることが重要である。
【００２９】
上記靴下１０は、このような睡眠のメカニズムを踏まえ、温まり難い末梢部位、並びに、冷え易いとされる皮下脂肪および筋肉が相対的に少ない箇所（下肢では、膝、踵、爪先に相当）を重点的に温めることで、冷えを解消し、早期の睡眠導入を促す。その一方で、上記靴下１０は、爪先部６近傍から熱を放出することで、快眠を促すことができる。
【００３０】
なお、膝部２は、少なくとも膝蓋骨に対応する領域を被覆することが望ましい。また、踵部４は、爪先とは反対側の踵骨端部近傍を被覆することが望ましく、踵骨上端から繋がるアキレス腱下端近傍を被覆することがさらに望ましい。これにより、特に冷えを軽減することができる。なお、本実施形態において、膝上部１は、膝関節よりも上側の領域を被覆する部分を示す。脛部３は、膝関節と足首の関節との間の領域を被覆する部分を示す。フート部５は、足首の関節よりも下側の領域を覆う部分で、かつ、踵部４と爪先部６とを除く部分を示す。
【００３１】
靴下１０の生地は、編物（ニット）であっても織物であってもよい。但し、フィット感を与えるとともに、過剰な締め付け感がなく、リラックスを阻害しないように、靴下１０の生地は、少なくとも通常の睡眠時に生じる動きにに、履く人のストレス無く追随する程度に全体が伸縮性を有していることが望ましい。このため、靴下１０は、編目のループにより適度な伸縮性とフィット感を得やすいことから、編物であることが望ましい。
【００３２】
上記保温部は、他の部分よりも保温性が高ければ、どのような素材で構成されていてもよく、また、どのような構造を有していてもよい。しかしながら、上記保温部は、それぞれ、保温性を有する編成糸で編成されていることが望ましい。保温性を有する編成糸としては、例えば、吸湿発熱性を有する繊維を含む編成糸、断熱性を有する編成糸、遠赤外線による保温性を有する繊維を含む編成糸、温感性を有する温感加工糸等が挙げられる。吸湿発熱性を有する繊維としては、例えば、アクリレート系繊維、ウール、レーヨン等が挙げられる。断熱性を有する編成糸としては、例えば、中空糸、バルキー糸等が挙げられる。遠赤外線による保温性を有する編成糸としては、例えば、遠赤セラミック練りこみ繊維を含む編成糸等が挙げられる。温感加工糸としては、例えば、カプサイシンの成分を繊維に付着させた編成糸等が挙げられる。つまり、ここで言う保温性とは、上記の通り、発熱、断熱、温感のうち何れかを生じさせる物性または構造を含むが、これに限らず、被覆部位の冷えを防ぎ、温かさを保つことができる性能全般を指す。
【００３３】
また、上記保温部（膝部２、踵部４、爪先部６）は、各保温部を編成する編成糸に含まれる素材の保温値Ｗの合計値が、それぞれ、１２．５〜５０．０の範囲内であることが望ましく、２５．０〜５０．０の範囲内であることがより望ましい。上記保温値Ｗは、各保温部を編成する編成糸に含まれる素材の公定水分率と、該編成糸に含まれる素材の含有率が１００重量％である場合の該素材の含有割合を１．０としたときの該編成糸に含まれている素材の含有割合と、を乗じて求められる数値を示す。
【００３４】
つまり、上記保温値Ｗは、上記素材の保温性能を示し、保温値Ｗ＝Ａ×Ｂで定義される。上記式中、Ａは、各保温部を編成する編成糸に含まれる素材の公定水分率（％）であり、Ｂは、上記編成糸に対する上記素材の含有率が１００％である場合の該素材の含有割合を１．０としたときの、該編成糸に含まれている素材の含有割合を示す。
【００３５】
上記素材が吸湿発熱性繊維である場合、Ａは、吸湿発熱性繊維の公定水分率（％）を示す。Ｂは、上記編成糸に対する吸湿発熱繊維の含有率が１００重量％である場合の該吸湿発熱繊維の含有割合を１．０としたときの、該編成糸に含まれている吸湿発熱繊維の含有割合を示す。
【００３６】
以下に、例えば、上記保温部の何れかを編成する編成糸が、アクリレート系繊維とポリエステルとの混紡糸である場合を例に挙げて具体的に説明する。吸湿発熱繊維であるアクリレート系繊維の公定水分率が５０％であり、上記編成糸における上記アクリレート系繊維の含有率が５０重量％（含有割合０．５）であるとき、上記保温部におけるアクリレート系繊維の保温値Ｗは２５となる。また、上記ポリエステルの公定水分率が０．４％であり、上記編成糸におけるポリエステルの含有率が５０重量％（含有割合０．５）であるとき、上記保温部における上記ポリエステルの保温値Ｗは０．２となる。したがって、この場合、上記保温部を編成する編成糸に含まれる各素材の保温値Ｗの合計値（各素材の保温値Ｗの和）は、２５＋０．２＝２５．２となる。
【００３７】
上記保温部を、上記保温値Ｗの合計値が５０．０を超える編成糸で編成した場合、過剰な熱により快眠を阻害するおそれが高くなる。また、そのような編成糸で編成した保温部が設けられた靴下１０を長時間着用した場合、皮膚へのダメージ（乾燥や低温火傷）の懸念が高くなる。このため、上記保温値Ｗの合計値は、上述した範囲内とすることが望ましい。
【００３８】
また、靴下１０における保温部以外の部分（膝上部１、脛部３、フート部５）を編成する編成糸に含まれる素材の保温値Ｗの合計値は、上記保温部以外の部分での過剰な保温を避けるため、１２．５未満であることが好ましい。
【００３９】
例えば、上記保温部以外の部分を編成する編成糸が、レーヨンと絹との混紡糸である場合を例に挙げて説明する。レーヨンの公定水分率が１１％、上記編成糸におけるレーヨンの含有率が５０％（含有割合０．５）であるとき、上記保温部以外の部分におけるレーヨンの保温値Ｗは５．５となる。また、絹の公定水分率が１１％、上記編成糸における絹の含有率が５０重量％（含有割合０．５）であるとき、上記保温部以外の部分における絹の保温値Ｗも５．５となる。したがって、この場合、上記保温部以外の部分を編成する編成糸に含まれる各素材の保温値Ｗの合計値（各素材の保温値Ｗの和）は、５．５＋５．５＝１１．０となる。
【００４０】
上記編成糸に含まれる素材の公定水分率Ａと、上記編成糸に含まれる素材の含有割合との組み合わせによる保温値Ｗの一覧を、表１に示す。
【００４１】
【表１】
2020133093.tif 000003
【００４２】
また、上記保温部と、上記保温部以外の部分とにおける具体的な素材の組み合わせの一例を、表２に示す。但し、表２は、あくまでも、具体的な素材の組み合わせの一例であり、表２に示す組み合わせに限定されない。
【００４３】
【表２】
2020133093.tif 000004
【００４４】
上述したように、上記保温部を編成する編成糸としては、保温性を有する編成糸であれば、特に限定されるものではない。しかしながら、上記保温部を効率よく温め、早期の冷え解消を図る上で、上記編成糸としては、吸湿発熱性を有するアクリレート系繊維を含む編成糸が好適に用いられる。上記編成糸の番手（太さ）は、編機の針数やゲージに合わせて一般的な適合番手を中心に適宜選択可能である。
【００４５】
本実施形態で用いられる、吸湿発熱性を有するアクリレート系繊維としては、上記保温部を効率よく温める上で、公定水分率が３５％以上のアクリレート系繊維が望ましく、公定水分率が５０％以上のアクリレート系繊維がより望ましい。なお、上記複数の保温部は、それぞれ、上述したアクリレート系繊維を含む編成糸で編成されていることが望ましい。
【００４６】
また、部分的な保温性能のムラを抑制し、編成糸内の保温性能を均一化するために、上記編成糸におけるアクリレート系繊維の含有率は、２５％以上であることが好ましい。また、各保温部は、温かさの違いによるストレスを軽減するとともに、生産効率を維持するために、何れも同じ編成糸で編成されていることが好ましい。
【００４７】
編成糸における同じ素材の含有率が高いほど当該素材の性能が均一に発揮できる。一方で、上記含有率が低いほど編成糸内の当該素材の性能の均一性が損なわれ、編成糸としての性能にムラが生じる可能性がある。このことから、編成糸におけるアクリレート系繊維の含有率を２５％以上とすることで、アクリレート系繊維の性能を概ねムラなく均一に発揮することができる。また、アクリレート系繊維は、他の素材より公定水分率が高いことが知られている。アクリレート系繊維は、他の素材と混紡する際に保温値Ｗの合計値が前述した数値範囲内となる混合糸を比較的製造し易くなる。
【００４８】
上記保温部を編成する編成糸に、公定水分率が５０％のアクリレート系繊維を例えば５０重量％含み、残り５０重量％に例えばポリエステルを用いた混紡糸を用いることで、高い吸湿発熱性により、上記保温部をより効率よく温めることができる。
【００４９】
図２は、図１に示す靴下１０の編地の展開図である。
【００５０】
図２に示すように、靴下１０は、例えば、丸編機により、履口１２から爪先部６（爪先部先端）に至るまで連続した筒状に編成されている。
【００５１】
例えば、膝上部１の編組織はゴム入りのゾッキ編であり、脛部３、および、放熱部５１以外のフート部５の編組織は平編、放熱部５１の編組織は鹿の子編（メッシュ編）とした。また、膝部２はＶ字型にゴアラインを形成する構造とし、踵部４はエクステンドヒール構造とし、爪先部６は、爪先部分を大きく包み込むようにＶ字型にゴアラインを形成する構造とした。
【００５２】
また、保温部である、膝部２、踵部４、および爪先部６には、膝、踵、爪先の球面の曲面を確実に覆い、睡眠時の動きに追随できるように、編機の往復回転を利用して、通常、踵部を編成するために用いる、編み増し領域を設けた。これにより、これら保温部を立体的に編成した。また、上記編み増し領域は、Ｖ字型にゴアラインＧＬを形成することにより設けた。また、爪先部６は、爪先を包み込むため、長さの異なるゴアラインＧＬをＶ字型に形成することにより設けた。但し、本実施形態は、これに限定されるものではなく、上記保温部に、Ｙ字型あるいは多分岐型のゴアラインＧＬを形成してもよいし、直線状に長いゴアラインＧＬを設けてもよい。
【００５３】
また、編機の往復回転を利用せず、膝部２、踵部４、および爪先部６に対応する部分のみ保温性の高い糸を部分的に挿入してもよい。
【００５４】
なお、爪先部６は、上述した三点の保温部のなかで最も心臓から遠く、血流が滞り易いことから、冷えも感じ易い。このため、爪先部６は、他の保温部よりも保温力を高めることが望ましい。そこで、爪先部６は、編成糸の本数を増やす等して、他の保温部よりも生地を厚く設計することが望ましい。なお、より保温性を高めるために、爪先部６を、編目をループ状の嵩高構造としたパイル構造としてもよい。
【００５５】
また、上記丸編機の釜径（シリンダーの直径）は、通常の靴下を編成する丸編機の釜径（３．７５〜４．０インチ）よりも大きい釜径を有していることが望ましい。丸編機の釜径は、編み上がりの筒の直径に寄与する。上記丸編機の釜径を、４．０インチよりも大きくすることで、靴下１０に、優しく緩やかな締め付けと伸びを持たせることができる。本実施形態では、上記丸編機として、５．０インチの釜径を有する丸編機を用いた。これにより、リラックスを阻害しない、ゆったりした編み地の靴下１０を得ることができ、この結果、睡眠を阻害しない、より快適な着用感を得ることができた。
【００５６】
但し、靴下１０は、睡眠を阻害するような強い締め付け力を有するものでなければよく、例えば、３．７５インチの釜径を有する丸編機を用いて編成されていても構わない。このように通常の釜を用いた場合の締め付け感の調整方法としては、例えば、裏糸に伸縮性の低い弾性糸を用いたり、当該弾性糸の挿入量を減らしたりする方法が考えられる。
【００５７】
表糸の素材は、自然な肌触りを重視し、例えば、綿やシルク等の天然繊維を用いることが望ましい。しかしながら、より柔らかな風合いを重視し、綿とモダールとの混紡糸、レーヨンとシルクとの混紡糸を用いる等、睡眠を阻害しない肌触りが得られれば、表糸の素材は特に限定されない。
【００５８】
また、裏糸の素材も特に限定されない。裏糸には、例えばＦＴＹ（Filament Twisted Yarn：フィラメント・ツイステッド・ヤーン）を用いることができる。
【００５９】
本実施形態では、保温部には、編成糸にアクリレート系繊維５０重量％とポリエステル５０重量％とを混紡した３０番単糸の紡績糸を使用し、裏糸に３０／１５０ＦＴＹを使用した。保温部以外には、編成糸に綿１００重量％の１０番単糸の紡績糸を使用し、裏糸に３０／７５ＦＴＹを使用した。３０／１５０ＦＴＹとは、３０デニールの弾性糸に１５０デニールのポリエステルをカバーリングしたＦＴＹを示す。また、３０／７５ＦＴＹとは、３０デニールの弾性糸に７５デニールのポリエステルをカバーリングしたＦＴＹを示す。
【００６０】
本実施形態の靴下１０では、釜径５．０インチのシリンダーを使用しているため、ソフトなフィット感が得られる。また、表糸の番手に合わせて針数が８４本の編機を使用したが、例えば３０番単糸の表糸に対し針数２０８本の編機を使用する等、適宜選択可能である。
【００６１】
また、太腿部を覆う膝上部１は、特にゆったりした構造を有していることが望ましい。特に、膝上部１における履口部１１は、リラックスを阻害しないよう、締め付けによるストレスを極力軽減することが望ましい。また、靴下１０における膝部２の上端よりも上の部分（具体的には、膝部２の上端から履口１２に至るまでの部分）が、脛部３よりも締め付け力が弱いことが望ましい。
【００６２】
このため、例えば、履口部１１は、鹿の子編みで編成することが望ましい。但し、履口部１１は、締め付けが緩やかであれば他の編成方法でもよく、例えばシンカー乗せ編み等でも構わない。
【００６３】
＜変形例＞
本実施形態では、上述したように、靴下１０の丈を、大腿部を覆うサイハイ丈とした。しかしながら、上記丈は、膝の全面を覆う丈であればよく、爪先から膝上に至る丈を有するニーハイ丈としても構わない。但し、下肢（脚）を覆う面積が大きいほど温かさを感じ易いことから、靴下１０の丈を、サイハイ丈とすることで、冷えの早期解消効果を得易い。
【００６４】
また、図１では、フート部５内に、爪先部６に隣接して放熱部５１が設けられている場合を例に挙げて図示した。しかしながら、本実施形態は、これに限定されるものではない。例えば、爪先部６内に、フート部５に隣接して放熱部が設けられていてもよい。
【００６５】
また、図示はしていないが、冷えの改善に効果のある経穴（ツボ）を押圧または刺激する構造を靴下１０に付与してもよい。
【００６６】
例えば、足首内側の上部に存在する三陰交は、押圧もしくは刺激することで冷えの改善に効果があると言われており、着用時に三陰交を押圧もしくは刺激する構造を付与することで、効果的に冷えを抑制することができる。
【００６７】
そこで、三陰交を押圧または刺激する構造として、例えば、着用時に三陰交に対応する位置（内踝の頂点から指４本部直上した部分）に、保温効果のある保温素材を用いて、直径４センチ前後の円状のパイル編部を設けてもよい。これにより、靴下１０を着用した際に、三陰交に温熱刺激を加えることができ、冷え改善効果を奏することができる。また、脛部３における、上記パイル編部を囲む部分のフィット性を、脛部３に締め付け感が生じない程度に高めることが、パイル編部を三陰交の位置に維持することができることから望ましい。なお、上記パイル編部の形状は任意でよい。また、上記保温素材は、例えば、ウール、アクリレート系繊維等の吸湿発熱素材；カプサイシン等を用いた温感加工素材；等を用いることができるが、これに限らない。
【００６８】
〔実施形態２〕
本開示の他の実施形態について、図３〜図５を参照して以下に説明する。なお、説明の便宜上、実施形態１にて説明した部材と同じ機能を有する部材については、同じ符号を付記し、その説明を繰り返さない。また、本実施形態でも、実施形態１と同様の変形が可能であることは、言うまでもない。
【００６９】
図３は、本実施形態に係る靴下の外観を示す図である。
【００７０】
放熱部は、爪先を露出可能な開口部であってもよい。したがって、靴下１０は、爪先を露出可能な開口部を放熱部として有していてもよい。図３に示す靴下１０は、フート部５に放熱部５１としてメッシュ部を設ける代わりに、爪先部６に、爪先を露出可能な露出口６２を放熱部として有する穴開き部６１が設けられている。この点を除けば、本実施形態に係る靴下１０は、実施形態１に係る靴下１０と同じである。
【００７１】
本実施形態によれば、爪先部６に露出口６２が設けられていることで、爪先部６から靴下１０を部分的に脱がすことが可能となる。また、図３に示す例では、露出口６２は、爪先部６における甲側（上面側）に設けられている。甲側に露出口６２を設けることで、爪先を露出させる動作（手で脱がす、或いは足先で脱がす動作）が行い易い。このように露出口６２から爪先の一部を突出させて露出することにより、爪先の熱を素早く放熱することができる。
【００７２】
図４は、図３に示す靴下１０の要部の斜視図である。図４に符号１０１１で示す図は、図３に示す靴下１０の穴開き部６１における露出口６２の縁部を重ねて穴開き部６１を折り畳むことで露出口６２を閉じた状態を示す。また、図４に符号１０１２で示す図は、図３に示す靴下１０の爪先部６の一部（露出口６２よりも爪先側の部分）を捲って爪先の一部を露出させた状態を示す。
【００７３】
爪先部６は、足の第３関節の上面および下面の少なくとも一方を被覆していることが望ましい。露出口６２は、爪先の少なくとも一部を露出可能な大きさを有していればよいが、爪先部６を引き下ろして露出口６２から爪先を抜くことができる大きさを有していることが望ましい。なお、ここで、「爪先の少なくとも一部」とは、具体的には、複数本の足指のうち少なくとも一部の足指を示す。また、爪先部６を引き下ろして露出口６２から爪先を抜く場合、露出口６２から５本の足指全てを完全に露出させる必要はない。しかしながら、露出口６２は、５本の足指全ての一部（指先）を突出させることができる大きさを有していることが望ましい。
【００７４】
爪先部６は、靴下１０を装着したときに、足の先端（つまり、爪先の先端）から足（爪先）の少なくとも第３関節までを覆うことができる長さを有している。本実施形態において、穴開き部６１は、足（爪先）の第３関節よりも先端側（爪先側）に露出口６２が設けられていることが望ましい。本実施形態によれば、図４の符号１０１１に示すように、靴下１０を装着した状態において、露出口６２の縁部を重ねて穴開き部６１を折り畳んだときに、足（爪先）の少なくとも第３関節を覆うことができる。このため、最低限の保温性を保ちつつ効率的に爪先を露出することができる。
【００７５】
また、露出口６２は、靴下１０の着用初期段階（言い換えれば、就寝から意図的に爪先を露出させるまでの間）に、寝具との軽い摩擦等で意図せず爪先が露出しないような位置および形状に形成されていることが望ましい。
【００７６】
図５は、図３および図４に示す靴下１０の編地の展開図である。
【００７７】
図５に示すように、靴下１０は、例えば、丸編機により、履口１２から露出口６２（言い替えれば、穴開き部６１の先端）に至るまで連続した筒状に編成されている。
【００７８】
例えば、膝上部１の編組織はゴム入りのゾッキ編であり、脛部３およびフート部５の編組織は平編、穴開き部６１の編組織はゴム入りの平編とした。また、膝部２はＶ字型にゴアラインを形成する構造とし、踵部４はエクステンドヒール構造とした。爪先部６における穴開き部６１以外の部分は、爪先部分を大きく包み込むようにＶ字型にゴアラインを形成する構造とした。
【００７９】
また、実施形態１同様、保温部である、膝部２、踵部４、および爪先部６には、膝、踵、爪先の球面の曲面を確実に覆い、睡眠時の動きに追随できるように、編機の往復回転を利用して、通常、踵部を編成するために用いる、編み増し領域を設けた。これにより、これら保温部を、立体的に編成した。また、上記編み増し領域は、Ｖ字型にゴアラインＧＬを形成することにより設けた。また、爪先部６は、爪先を包み込むため、長さの異なるゴアラインＧＬをＶ字型に形成することにより設けた。但し、実施形態１同様、本実施形態は、これに限定されるものではなく、上記保温部に、Ｙ字型あるいは多分岐型のゴアラインＧＬを形成してもよいし、直線状に長いゴアラインＧＬを設けてもよい。
【００８０】
また、編機の往復回転を利用せず、膝部２、踵部４、および爪先部６に対応する部分のみ保温性の高い糸を部分的に挿入してもよい。
【００８１】
実施形態１で説明したように、爪先部６は、上述した三点の保温部のなかで最も心臓から遠く、血流が滞り易いことから、冷えも感じ易い。このため、爪先部６は、他の保温部よりも保温力を高めることが望ましい。そこで、実施形態１で説明したように、爪先部６は、編成糸の本数を増やす等して、他の保温部よりも生地を厚く設計することが望ましい。なお、より保温性を高めるために、爪先部６を、編目をループ状の嵩高構造としたパイル構造としてもよい。
【００８２】
また、実施形態１同様、上記丸編機の釜径（シリンダーの直径）は、通常の靴下を編成する丸編機の釜径（３．７５〜４．０インチ）よりも大きい釜径を有していることが望ましい。丸編機の釜径は、編み上がりの筒の直径に寄与する。実施形態１同様、上記丸編機の釜径を、４．０インチよりも大きくすることで、靴下１０に、優しく緩やかな締め付けと伸びを持たせることができる。本実施形態でも、上記丸編機には、５．０インチの釜径を有する丸編機を用いた。これにより、リラックスを阻害しない、ゆったりした編み地の靴下１０を得ることができ、この結果、睡眠を阻害しない、より快適な着用感を得ることができた。
【００８３】
但し、靴下１０は、睡眠を阻害するような強い締め付け力を有するものでなければよく、例えば、３．７５インチの釜径を有する丸編機を用いて編成されていても構わない。このように通常の釜を用いた場合の締め付け感の調整方法としては、実施形態１で説明したように、例えば、裏糸に伸縮性の低い弾性糸を用いたり、当該弾性糸の挿入量を減らしたりする方法が考えられる。
【００８４】
実施形態１同様、表糸の素材は、自然な肌触りを重視し、例えば、綿やシルク等の天然繊維を用いることが望ましい。しかしながら、より柔らかな風合いを重視し、綿とモダールとの混紡糸、レーヨンとシルクとの混紡糸を用いる等、睡眠を阻害しない肌触りが得られれば、表糸の素材は特に限定されない。
【００８５】
また、実施形態１で説明したように、裏糸の素材も特に限定されない。裏糸には、例えばＦＴＹを用いることができる。但し、本実施形態では、睡眠時に爪先を露出し易いように、爪先部６には、他の領域よりも、伸縮性が低く、締め付け力が弱い糸（ウーリーナイロン）を裏糸として使用した。しかしながら、本実施形態は、これに限定されるものではなく、爪先部６にも、通常の締め付け力をもたらすＦＴＹを裏糸として使用しても構わない。
【００８６】
本実施形態では、保温部には、実施形態１と同じく、編成糸にアクリレート系繊維５０重量％とポリエステル５０重量％とを混紡した３０番単糸の紡績糸を使用した。また、爪先部６以外の保温部の裏糸には３０／１５０ＦＴＹを使用した。爪先部６の保温部の裏糸には上述したようにウーリーナイロンを使用した。保温部以外には、編成糸に綿１００重量％の１０番単糸の紡績糸を使用し、裏糸に３０／７５ＦＴＹを使用した。本実施形態の靴下１０では、釜径５．０インチのシリンダーを使用しているため、ソフトなフィット感が得られる。また、表糸の番手に合わせて針数が８４本の編機を使用したが、例えば３０番単糸の表糸に対し針数２０８本の編機を使用する等、適宜選択可能である。
【００８７】
また、実施形態１で説明したように、太腿部を覆う膝上部１は、特にゆったりした構造を有していることが望ましい。特に、膝上部１における履口部１１は、リラックスを阻害しないよう、締め付けによるストレスを極力軽減することが望ましい。また、靴下１０における膝部２の上端よりも上の部分（具体的には、膝部２の上端から履口１２に至るまでの部分）が、脛部３よりも締め付け力が弱いことが望ましい。
【００８８】
このため、実施形態１同様、例えば、履口部１１は、鹿の子編みで編成することが望ましい。但し、履口部１１は、締め付けが緩やかであれば他の編成方法でもよく、例えばシンカー乗せ編み等でも構わない。
【００８９】
＜変形例＞
図６は、本実施形態の変形例に係る靴下１０の外観を示す図である。
【００９０】
実施形態１、２では、靴下１０が編物である場合を例に挙げて説明した。しかしながら、靴下１０は、編物ではなく、生地の縫製で作製してもよい。また、図６に示すように、保温部（例えば、膝部２、踵部４、および爪先部６）と保温部以外の部分とを同じ編成糸で編成してもよい。この場合、保温部のみ、例えば肌側に保温シート９を貼り付けたり、保温材を収納する図示しない収容袋部が形成されていたり、等してもよい。なお、保温シート９は、例えば、吸湿発熱性を有する繊維等、前述した保温性（例えば、発熱、断熱、温感等を生じさせる物性または構造）を有する繊維で形成された織物シートあるいは不織布等であってもよい。また、保温シート９は、保温性を有していれば、非繊維素材からなるシートであってもよい。なお、図６では、一例として、図３に示す靴下１０に保温シート９を貼り付けた場合を例に挙げて図示した。しかしながら、図１に示す靴下１０に保温シート９を貼り付ける等してもよいことは、言うまでもない。
【００９１】
また、実施形態１、２では、レッグウェアが靴下である場合を例に挙げて説明した。しかしながら、レッグウェアは、上述したように全体を連続的に編成したものに限らず、膝、踵、爪先のみを温める着用物であってもよい。なお、保温部は、膝部２、踵部４、爪先部６に加え、足首に対応する足首部にも設けられていてもよい。
【００９２】
〔実施形態３〕
本開示のさらに他の実施形態について、図７を参照して以下に説明する。
【００９３】
実施形態１、２では、本開示に係る衣類がレッグウェアである場合を例に挙げて説明した。しかしながら、本開示に係る衣類は、レッグウェアに限定されるものではない。前述したようにＡＶＡ血管は、上肢（腕）にもある。このため、上記衣類は、アームウェアであってもよく、上肢および下肢を含む肢体を覆うナイトウェアであってもよい。
【００９４】
つまり、本開示に係る衣類は、上肢および下肢の少なくとも一方の少なくとも一部を覆う衣類である。上記衣類は、他の部分よりも保温性が高い複数の保温部を有し、上記保温部が、膝部および踵部並びに下肢の爪先部と、手首部および肘部並びに上肢の爪先部と、のうち少なくとも一方を含むものであればよい。
【００９５】
そこで、以下では、本実施形態に係る衣類がアームカバー（アームウェア）である場合を例に挙げて説明する。
【００９６】
図７は、本実施形態に係るアームカバー１００の外観を示す図である。図７に符号１０２１で示す図は、本実施形態に係るアームカバー１００を腕の外側から見たときの外観を示す図であり、図７に符号１０２２で示す図は、本実施形態に係るアームカバー１００を腕の内側から見たときの外観を示す図である。
【００９７】
図７に示すアームカバー１００は、上肢における爪先から上腕部の一部に至る丈を有する長手袋である。なお、上腕部の一部とは、具体的には、上腕部上半（つまり、肩と肘との間の部分の上半分の部分）を示す。アームカバー１００は、肘上部１０１、肘部１０２、腕部１０３、手首部１０４、手本体部１０５、爪先部１０６を有している。また、手本体部１０５の一部には、他の部分よりも通気性が高い放熱部１５１が設けられている。
【００９８】
肘上部１０１には、上肢をアームカバー１００に挿入するための開口部である挿入口１１２が設けられた挿入口部１１１が設けられている。挿入口１１２は、アームカバー１００の上端（肘上部１０１における肘部１０２とは反対側の端部）に設けられている。
【００９９】
一方、爪先部１０６は、アームカバー１００の下端に設けられている。爪先部１０６は、親指を除く手の爪先全体（言い替えれば、親指を除く４本の手指）を包み込むように袋状に形成されている。放熱部１５１は、手本体部１０５のうち爪先部１０６に隣接する部分に設けられている。放熱部１５１は、例えば、メッシュ状に形成されたメッシュ部であることが望ましく、放熱部１５１が編物である場合、例えば鹿の子編（メッシュ編）で編成されていることが望ましい。放熱部１５１が例えばメッシュ状となるように該放熱部１５１を鹿の子編で編成することで、通気性を高めることができ、爪先部１０６およびその近傍の熱を、放熱部１５１から効果的に外部へ放熱することができる。但し、放熱部１５１は、他の部分よりも通気性を向上させることができれば、どのような構造であってもよい。本実施形態においては放熱部１５１に鹿の子編を用いたが、実施形態１に係る放熱部５１同様、例えば編目の大きさを大きくしたり、編成糸の太さを細くしたりすることで放熱部１５１の通気性を高めることができる。また、手本体部１０５における、爪先部１０６に隣接する部分に、メッシュ状の素材を縫い合わせてもよい。また、放熱部１５１は、手甲部および掌部を含み、周状（リング状）に設置することが望ましい。図７に示す例では、放熱部１５１が、手本体部１０５を爪先部１０６に沿って一周するように、周状に設けられている場合を例に挙げて図示している。放熱部１５１をこのように構成することで効果的に放熱することができる。放熱部１５１の面積は手本体部１０５の領域内であれば特に限定されるものではない。しかしながら、放熱部１５１の面積が広いほど放熱効果は高まる一方、冷えが生じやすい。このため、放熱部１５１は、手本体部１０５のうち、爪先部１０６側の１／３〜１／２を占める領域に設けることが望ましい。
【０１００】
また、爪先部１０６は、アームカバー１００を装着したときに、手（爪先）の先端から、親指を除く手の爪先（言い替えれば、親指を除く４本の手指）の少なくとも第３関節までを覆うことができる長さを有している。したがって、爪先部１０６は、親指を除く手の第３関節（つまり、爪先の第３関節）の上面および下面を被覆している。
【０１０１】
なお、本開示で言う手（爪先）の第３関節とは、中手指節関節もしくはＭＰ関節と呼ばれ、中手骨の爪先側の端と基節骨の手首側の端とを繋ぐように形成する関節を指す。また、第３関節の上面とは第３関節の甲側に対応する皮膚面を指し、第３関節の下面とは第３関節の掌側に対応する皮膚面を指す。
【０１０２】
肘部１０２、手首部１０４、爪先部１０６は、他の部分よりも保温性が高い保温部である。
【０１０３】
なお、肘部１０２は、少なくとも肘頭に対応する領域の一部を被覆することが望ましい。また、手首部１０４は、少なくとも手根骨に対応する領域の一部を被覆することが望ましい。手根骨とは舟状骨、月状骨、三角骨、豆状骨、大菱形骨、小菱形骨、有頭骨、有鈎骨の総称である。これにより、特に冷えを軽減することができる。
【０１０４】
なお、本実施形態において、肘上部１０１は、肘関節よりも上側の領域を被覆する部分を示す。腕部１０３は、肘関節と手首部１０４との間の領域を被覆する部分を示す。手本体部１０５は、手首部１０４と爪先部１０６との間の領域を被覆する部分を示す。
【０１０５】
本実施形態でも、上記衣類（本実施形態ではアームカバー１００）の生地は、編物（ニット）であっても織物であってもよい。但し、フィット感を与えるとともに、過剰な締め付け感がなく、リラックスを阻害しないように、上記衣類の生地は、少なくとも通常の睡眠時に生じる動きにストレス無く追随する程度に全体が伸縮性を有していることが望ましい。このため、アームカバー１００は、編目のループにより適度な伸縮性とフィット感を得やすいことから、編物であることが望ましい。
【０１０６】
なお、本実施形態でも、上記保温部は、他の部分よりも保温性が高ければ、どのような素材で構成されていてもよく、また、どのような構造を有していてもよい。しかしながら、上記保温部は、実施形態１、２同様、それぞれ、保温性を有する編成糸で編成されていることが望ましい。上記素材（編成糸）としては、実施形態１で説明した素材（編成糸）と同様の素材を用いることができる。
【０１０７】
また、上記保温部（肘部１０２、手首部１０４、爪先部１０６）は、各保温部を編成する編成糸に含まれる素材の保温値Ｗの合計値が、それぞれ、１２．５〜５０．０の範囲内であることが望ましく、２５．０〜５０．０の範囲内であることがより望ましい。また、アームカバー１００における保温部以外の部分（肘上部１０１、腕部１０３、手本体部１０５）を編成する編成糸に含まれる素材の保温値Ｗの合計値は、上記保温部以外の部分での過剰な保温を避けるため、１２．５未満であることが好ましい。なお、上記保温部と、上記保温部以外の部分とにおける具体的な素材の組み合わせについては、実施形態１で例示した通りである。
【０１０８】
図８は、図７に示すアームカバー１００の編地の展開図である。
【０１０９】
図８に示すように、アームカバー１００は、靴下１０同様、例えば、丸編機により、挿入口１１２から爪先部１０６（爪先部先端）に至るまで連続した筒状に編成されている。
【０１１０】
本実施形態では、一例として、肘上部１０１、肘部１０２、腕部１０３、手首部１０４、放熱部１５１以外の手本体部１０５、爪先部１０６の編組織を何れも平編とした。また、放熱部１５１の編組織は鹿の子編（メッシュ編）とした。
【０１１１】
また、編み増し領域である肘部１０２はＶ字型にゴアラインＧＬを形成する構造とした。但し、本実施形態は、これに限定されるものではなく、上記保温部に、Ｙ字型あるいは多分岐型のゴアラインＧＬを形成してもよいし、直線状に長いゴアラインＧＬを設けてもよい。また、本実施形態でも、保温部に対応する部分のみ保温性の高い糸を部分的に挿入してもよい。
【０１１２】
手首は、皮下脂肪および筋肉が相対的に少ない。また、手首は、甲側（外側）の方が、身体とは反対側に位置するため、上記甲側とは反対側となる掌側（内側）よりも体温で温まり難い。言い換えれば、手首は、甲側の方が、掌側よりも外気に影響され易く、比較的冷え易い。このため、手首部１０４は、前記踵部４同様、編機の往復回転を利用してゴアラインを形成し、甲側のみを被覆したり、周方向の途中で編成糸を切り変えるカットボスで甲側のみを覆うように保温部を編成したりすることが可能である。しかしながら、手首の甲側（外側）とその反対側（内側）とは、厚さ（距離）等の関係から、踵と、その反対側あるいは周囲との関係ほどには部位による冷え易さの差が大きくはない。このため、手首の場合、周状に保温部を設けても保温が過剰になり難い。また、ＡＶＡは、足の場合、足裏および指にあり、膝に加え、踵並びに足の爪先を温めることが特に有効である。しかしながら、手の場合、ＡＶＡは、甲側ではなく、掌側（内側）にある。手首の内側の皮膚直下には動・静脈が通っていることから、手首の内側を温めることで、ＡＶＡの開放により流れ出た血液が温められ、素早く指先等を温めることができる。そこで、本実施形態では、生産上の効率、および、コストの増加を避けるため、手首部１０４は、腕部１０３や手本体部１０５と同様、ゴアラインＧＬを設けず、フラットな筒状とし、周状に保温部を編成した。
【０１１３】
なお、爪先部１０６は、上述した三点の保温部のなかで最も心臓から遠く、血流が滞り易いことから、冷えも感じ易い。このため、爪先部１０６は、他の保温部よりも保温力を高めることが望ましい。そこで、爪先部１０６は、編成糸の本数を増やす等して、他の保温部よりも生地を厚く設計することが望ましい。なお、より保温性を高めるために、爪先部１０６を、編目をループ状の嵩高構造としたパイル構造としてもよい。
【０１１４】
また、上記丸編機の釜径（シリンダーの直径）は、通常のアームカバーを編成する丸編機の釜径（３．７５〜４．０インチ）よりも大きい釜径を有していることが望ましい。丸編機の釜径は、編み上がりの筒の直径に寄与する。上記丸編機の釜径を、４．０インチよりも大きくすることで、アームカバー１００に、優しく緩やかな締め付けと伸びを持たせることができる。本実施形態では、上記丸編機として、５．０インチの釜径を有する丸編機を用いた。これにより、リラックスを阻害しない、ゆったりした編み地のアームカバー１００を得ることができ、この結果、睡眠を阻害しない、より快適な着用感を得ることができた。
【０１１５】
但し、アームカバー１００は、睡眠を阻害するような強い締め付け力を有するものでなければよく、例えば、３．７５インチの釜径を有する丸編機を用いて編成されていても構わない。このように通常の釜を用いた場合の締め付け感の調整方法としては、例えば、裏糸に伸縮性の低い弾性糸を用いたり、当該弾性糸の挿入量を減らしたりする方法が考えられる。
【０１１６】
上記衣類がアームカバー１００である場合でも、靴下１０同様、表糸の素材は、自然な肌触りを重視し、例えば、綿やシルク等の天然繊維を用いることが望ましい。しかしながら、より柔らかな風合いを重視し、綿とモダールとの混紡糸、レーヨンとシルクとの混紡糸を用いる等、睡眠を阻害しない肌触りが得られれば、表糸の素材は特に限定されない。
【０１１７】
また、裏糸の素材も特に限定されない。裏糸には、例えばＦＴＹを用いることができる。
【０１１８】
本実施形態において、保温部には、編成糸にアクリレート系繊維５０重量％とポリエステル５０重量％とを混紡した３０番単糸の紡績糸を使用し、裏糸に３０／１５０ＦＴＹを使用した。保温部以外には、編成糸に綿１００重量％の１０番単糸の紡績糸を使用し、裏糸に３０／７５ＦＴＹを使用した。本実施形態のアームカバー１００では、釜径５．０インチのシリンダーを使用しているため、ソフトなフィット感が得られる。また、表糸の番手に合わせて針数が８４本の編機を使用したが、靴下１０と同様、例えば３０番単糸の表糸に対し針数２０８本の編機を使用する等、適宜選択可能である。
【０１１９】
また、上腕部を覆う肘上部１０１は、特にゆったりした構造を有していることが望ましい。特に、肘上部１０１における挿入口部１１１は、リラックスを阻害しないよう、締め付けによるストレスを極力軽減することが望ましい。またアームカバー１００における肘部１０２の上端よりも上の部分（具体的には、肘部１０２の上端から挿入口１１２に至るまでの部分）が、腕部１０３よりも締め付け力が弱いことが望ましい。
【０１２０】
このため、例えば、挿入口部１１１は、例えば鹿の子編みで編成することが望ましい。但し、履口部１１は、締め付けが緩やかであれば他の編成方法でもよく、例えばシンカー乗せ編み等でも構わない。
【０１２１】
＜変形例＞
本実施形態では、上述したように、アームカバー１００の丈を、上腕部上半を覆う丈とした。しかしながら、上記丈は、肘の全面を覆う丈であればよく、爪先から肘上に至る丈を有する丈としても構わない。但し、上肢（腕）を覆う面積が大きいほど温かさを感じ易いことから、アームカバー１００の丈を、上腕部上半を覆う丈とすることで、冷えの早期解消効果を得易い。
【０１２２】
また、図示はしていないが、アームカバー１００においても、冷えの改善に効果のある経穴（ツボ）を押圧または刺激する構造を付与してもよい。
【０１２３】
また、本実施形態では、爪先部１０６が、手の先端から、親指を除く手の第３関節までを覆う場合を例に挙げて説明した。しかしながら、例えば爪先部１０６を湾曲して形成する等して、爪先部１０６が、手の先端から、親指を含めた手の第３関節までを覆う構成としてもよい。
【０１２４】
〔実施形態４〕
本開示のさらに他の実施形態について、図９を参照して以下に説明する。なお、説明の便宜上、実施形態３にて説明した部材と同じ機能を有する部材については、同じ符号を付記し、その説明を繰り返さない。また、本実施形態でも、実施形態３と同様の変形が可能であることは、言うまでもない。
【０１２５】
図９は、本実施形態に係るアームカバー１００の要部の外観を示す図である。図９に符号１０３１で示す図は、本実施形態に係るアームカバー１００の穴開き部１６１における露出口１６２の縁部を重ねて穴開き部６１を折り畳むことで露出口１６２を閉じた状態を示す。また、図９に符号１０３２で示す図は、本実施形態に係るアームカバー１００の爪先部１０６の一部（露出口１６２よりも爪先側の部分）を捲って爪先の一部を露出させた状態を示す。
【０１２６】
靴下１０と同様に、アームカバー１００においても、放熱部は、爪先を露出可能な開口部であってもよい。したがって、アームカバー１００は、爪先を露出可能な開口部を放熱部として有していてもよい。図９に示すアームカバー１００は、手本体部１０５に放熱部１５１としてメッシュ部を設ける代わりに、爪先部１０６に、爪先を露出可能な露出口１６２を放熱部として有する穴開き部１６１が設けられている。この点を除けば、本実施形態に係るアームカバー１００は、実施形態３に係るアームカバー１００と同じである。図９に示す例では、露出口１６２は、爪先部１０６における甲側（上面側）に設けられている。
【０１２７】
また、図９に示すアームカバー１００の爪先部１０６は、親指を除く爪先（手指）の少なくとも第３関節の下面を被覆している。露出口１６２の大きさは、爪先の少なくとも一部を露出可能な大きさを有していればよいが、爪先部１０６を引き下ろして露出口１６２から爪先を抜くことができる大きさを有していることが望ましい。なお、ここで、「爪先の少なくとも一部」とは、具体的には、複数本の手指のうち少なくとも一部の手指を示す。また、爪先部１０６を引き下ろして露出口１６２から爪先を抜く場合、露出口１６２から５本の手指全てを完全に露出させる必要はない。しかしながら、露出口１６２は、５本の手指全ての一部（指先）を突出させることができる大きさを有していることが望ましい。
【０１２８】
本実施形態において、穴開き部１６１は、爪先部１０６が、親指を除く手（爪先）の少なくとも第３関節を覆うように、親指以外の手指の第３関節よりも先端側（爪先側）に露出口１６２が設けられていることが望ましい。これにより、最低限の保温性を保ちつつ効率的に爪先を露出することができる。
【０１２９】
また、露出口１６２は、アームカバー１００の着用初期段階、言い換えれば、就寝から意図的に爪先を露出させるまでの間、寝具との軽い摩擦等で意図せず爪先が露出しないような位置および形状に形成されていることが望ましい。
【０１３０】
上述したように上記衣類がアームカバー１００のようなアームウェアである場合にも、露出口１６２が、爪先部１０６における甲側（上面側）に設けられていることで、爪先を露出させる動作（手で脱がす動作）が行い易い。このように爪先部１０６に露出口１６２が設けられていることで、爪先部１０６からアームカバー１００を部分的に脱がすことが可能であり、該露出口１６２から爪先の一部を突出させて露出することができる。
【０１３１】
図１０は、図９に示すアームカバー１００の編地の展開図である。
【０１３２】
図１０に示すように、本実施形態に係るアームカバー１００は、例えば、丸編機により、挿入口１１２から露出口１６２（言い替えれば、穴開き部１６１の先端）に至るまで連続した筒状に編成されている。
【０１３３】
本実施形態では、一例として、肘上部１０１、肘部１０２、腕部１０３、手首部１０４、手本体部１０５、爪先部１０６の編組織を何れも平編とした。但し、爪先部１０６における穴開き部１６１の編組織は、ゴム入りの平編とした。また、編み増し領域である肘部１０２はＶ字型にゴアラインＧＬを形成する構造とした。
【０１３４】
また、実施形態３で説明したように、手首の場合、手首の内側を温めることで、素早く指先等を温めることができる。そこで、本実施形態でも、実施形態３同様、生産上の効率、および、コストの増加を避けるため、手首部１０４は、腕部１０３や手本体部１０５と同様、ゴアラインＧＬを設けず、フラットな筒状とし、周状に保温部を編成した。
【０１３５】
また、実施形態３同様、上記丸編機の釜径（シリンダーの直径）は、通常のアームカバーを編成する丸編機の釜径（３．７５〜４．０インチ）よりも大きい釜径を有していることが望ましい。上記丸編機の釜径を、４．０インチよりも大きくすることで、アームカバー１００に、優しく緩やかな締め付けと伸びを持たせることができる。そこで、本実施形態でも、上記丸編機として、５．０インチの釜径を有する丸編機を用いた。これにより、リラックスを阻害しない、ゆったりした編み地のアームカバー１００を得ることができ、この結果、睡眠を阻害しない、より快適な着用感を得ることができた。
【０１３６】
また、表糸の素材については、実施形態３で説明した通りであり、裏糸の素材も特に限定されない。但し、本実施形態では、睡眠時に爪先を露出し易いように、爪先部１０６には、他の領域よりも、伸縮性が低く、締め付け力が弱い糸（例えばウーリーナイロン）を裏糸として使用することが望ましい。しかしながら、本実施形態は、これに限定されるものではなく、爪先部１０６にも、通常の締め付け力をもたらすＦＴＹを裏糸として使用しても構わない。
【０１３７】
本実施形態では、保温部には、実施形態３と同じく、編成糸にアクリレート系繊維５０重量％とポリエステル５０重量％とを混紡した３０番単糸の紡績糸を使用した。また、爪先部１０６以外の保温部の裏糸には３０／１５０ＦＴＹを使用した。爪先部１０６の保温部の裏糸には上述したようにウーリーナイロンを使用した。保温部以外には、編成糸に綿１００重量％の１０番単糸の紡績糸を使用し、裏糸に３０／７５ＦＴＹを使用した。本実施形態のアームカバー１００では、釜径５．０インチのシリンダーを使用しているため、ソフトなフィット感が得られる。また、表糸の番手に合わせて針数が８４本の編機を使用したが、靴下１０と同様、例えば３０番単糸の表糸に対し針数２０８本の編機を使用する等、適宜選択可能である。但し、本実施形態は、上記構成に限定されるものではない。本実施形態でも、実施形態１と同様の変形が可能である。
【０１３８】
なお、本実施形態では、爪先部１０６が、親指を除く爪先（手指）の少なくとも第３関節の下面を被覆している場合を例に挙げて説明した。しかしながら、爪先部１０６は、親指を除く手（爪先）の第３関節の上面および下面の少なくとも一方を被覆していればよい。
【０１３９】
＜変形例１＞
図１１は、本変形例に係るアームカバー１００の要部の外観を示す図である。図１２は、図１１に示すアームカバー１００の編地の展開図である。
【０１４０】
図１１および図１２に示すアームカバー１００は、爪先部１０６に、親指を入れる指袋部１６３が設けられており、爪先部１０６の先端（手本体部１０５とは反対側の端部）が、親指以外の爪先全体を包み込むように袋状に形成されている。この点を除けば、図１１および図１２に示すアームカバー１００は、図９および図１０に示すアームカバー１００と同じである。親指以外の手指の第三関節の位置は、親指の第三関節の位置よりも手の先端側（爪先側）に位置する。このため、本変形例によれば、爪先部１０６に、親指を入れる指袋部１６３が設けられていることで、各手指の第三関節を被覆した状態で露出口１６２から爪先の一部（親指以外の指の一部）を露出させ易い。
【０１４１】
また、上記アームカバー１００は、当該アームカバー１００に、親指を入れる指袋部１６３が設けられていることで、親指を指袋部１６３に入れた状態で、指袋部１６３を、爪先部１０６の他の部分から独立して動かすことが可能である。このため、上記親指を露出させることなく、露出口１６２の位置をずらしたり、寝具を引き寄せたりする等の動作が可能となる。
【０１４２】
また、アームカバー１００に親指を入れる指袋部１６３が設けられていることで、手を動かすことでアームカバー１００がずれることを抑制することもできる。
【０１４３】
なお、本変形例では、編み増し領域である肘部１０２にＶ字型にゴアラインＧＬを形成するとともに、編み増し領域である、爪先部１０６における指袋部１６３に、親指を包み込むようにＶ字型にゴアラインＧＬを形成した。但し、本変形例もこれに限定されるものではなく、上記保温部に、Ｙ字型あるいは多分岐型のゴアラインＧＬを形成してもよいし、直線状に長いゴアラインＧＬを設けてもよい。また、本変形例でも、保温部に対応する部分のみ保温性の高い糸を部分的に挿入してもよい。
【０１４４】
＜変形例２＞
実施形態３、４では、アームカバー１００が編物である場合を例に挙げて説明した。しかしながら、靴下１０同様、アームカバー１００も、編物ではなく、生地の縫製で作製してもよい。また、図示はしないが、靴下１０同様、アームカバー１００も、保温部（例えば、肘部１０２、手首部１０４、および爪先部１０６）と保温部以外の部分とを同じ編成糸で編成してもよい。この場合、保温部のみ、例えば肌側に、前記保温シート９と同様の保温シートを貼り付けたり、保温材を収納する図示しない収容袋部が形成されていたり、等してもよい。
【０１４５】
また、本実施形態では、アームウェアがアームカバー（長手袋）である場合を例に挙げて説明した。しかしながら、レッグウェア同様、アームウェアは、上述したように全体を連続的に編成したものに限らず、肘、手首、および爪先のみを温める着用物であってもよい。
【０１４６】
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成することができる。
【符号の説明】
【０１４７】
１    膝上部
２    膝部
３    脛部
４    踵部
５    フート部
５１、１５１    放熱部
６、１０６    爪先部
１０    靴下
１１    履口部
１２    履口（開口部）
６１、１６１    穴開き部
６２、１６２    露出口（開口部）
１６３    指袋部
１００    アームカバー
１０１    肘上部
１０２    肘部
１０３    腕部
１０４    手首部
１０５    手本体部
１１１    挿入口部
１１２    挿入口（開口部）
ＧＬ    ゴアライン
【図１】
2020133093.tif 000005
【図２】
2020133093.tif 000006
【図３】
2020133093.tif 000007
【図４】
2020133093.tif 000008
【図５】
2020133093.tif 000009
【図６】
2020133093.tif 000010
【図７】
2020133093.tif 000011
【図８】
2020133093.tif 000012
【図９】
2020133093.tif 000013
【図１０】
2020133093.tif 000014
【図１１】
2020133093.tif 000015
【図１２】
2020133093.tif 000016